(57)【要約】【課題】一時に多数の吊り紐ホルダに吊り紐を巻き付けることができる構造の簡易な植物誘引用吊り紐の巻き取り装置を提供する。【解決手段】巻き取り装置１は、支持機体２上の複数のホルダ保持機構３と、これを回転させるモータ４と、複数のテンションローラ５と、ロール保持部材６とを具備する。ホルダ保持機構３は、支持ベース９と、一対の挟持部材１０とを具備する。挟持部材１０は、押さえ板１１とボールプランジャ１２とを具備し、両者間に吊り紐ホルダ３４の曲部４０が圧入されると、ボール１３が曲部４０を乗り越えて内側に落ち込み嵌合する。吊り紐３２の一端が係止された吊り紐ホルダ３４が回転すると、テンションローラ５を介して所定の張力を持って紐ロール３７から引き出される吊り紐３２が、吊り紐ホルダ３４の凹部３８間に巻き付けられる。【選択図】図２
2017163950.tif 000002
【特許請求の範囲】
【請求項１】
先端側を植物に係止して当該植物を誘引する吊り紐の基端側を巻き止めて上方の支持線に掛けて用いられる屈曲した鋼線からなる吊り紐ホルダあって、互いの先端が向き合った内側に相対向するように屈曲した一対のフック部と、このフック部の基端側に一端側が連続しそれぞれ概略Ｖ字状に外側に開く凹部を形成するように屈曲した一対の起立部と、一端側が一対の起立部の他端側にそれぞれ連続し互いに向き合う方向に屈曲することによって対向一対の折り返し曲部を形成し他端側が互いに連続する接続部とを有するものに、吊り紐を巻き取るための装置であって、
支持機体に、水平方向に相互間隔を置いて、水平の回転軸により、それぞれ垂直平面に沿って回転自在に支持される複数のホルダ保持機構と、
前記支持機体に支持され、前記各ホルダ保持機構の回転軸に回転伝動部機構を介して接続されるモータと、
前記各ホルダ保持機構の下方に位置して前記支持機体に支持される複数のテンションローラと、
前記各テンションローラの下方に配置され、前記紐ロールを保持するロール保持部材と、を具備し、
前記ホルダ保持機構は、中央で前記回転軸に支持され回転軸に直交する方向に延びる支持ベースと、この支持ベースの両端部において、当該支持ベースとの間で前記紐ホルダの一対の折り返し曲部を着脱自在に保持する一対の挟持部材とを具備し、
前記挟持部材は、前記支持ベースとの間に前記ホルダの折り返し曲部を挿入できる間隔を置いて支持ベース上に固定された押さえ部材と、この押さえ部材を貫通してボールが支持ベースに当接するように固定されたボールプランジャとを具備し、
前記ボールプランジャは、前記紐ホルダの折り返し曲部が支持ベースと押さえ部材との間に圧入されるとき、ボールが折り返し曲部を外側から内側へ乗り越えて折り返し曲部の内側に落ち込み、折り返し曲部に嵌合するように配置され、
前記テンションローラは、前記紐ロールから引き出された吊り紐の延長途上を掛け回し可能に設けられ、それによってテンションローラから紐ホルダまでの吊り紐に所定の張力を付与可能に構成されることを特徴とする植物誘引用吊り紐の巻き取り装置。
【請求項２】
前記ホルダ保持機構の回転数を積算する積算部と、積算回転数を表示する表示部と、手動スイッチによるモータの始動・停止および積算回転数が所定値に達したときのモータの停止を制御する制御部とを有する制御盤をさらに具備することを特徴とする請求項１に記載の植物誘引用吊り紐の巻き取り装置。
【請求項３】
前記支持機体は、高さ調節自在の左右一対の支持脚と、この支持脚間の上部に水平に架設された上部フレームと、この上部フレームの下方に位置して支持脚間に水平に架設された下部フレームとを具備し、
前記複数のホルダ保持機構と前記モータは前記上部フレーム上に支持され、  前記複数のテンションローラは前記下部フレームに支持されることを特徴とする請求項１に記載の植物誘引用吊り紐の巻き取り装置。
【発明の詳細な説明】
【技術分野】
【０００１】
本発明は、植物誘引用の吊り紐を巻いて支持線に係止するために用いられる吊り紐ホルダに、紐ロールから吊り紐を引き出して巻き付ける巻き取り装置に関する。
【背景技術】
【０００２】
従来、例えば温室内でのトマト等の植物の栽培において、図６に示すように、上方に水平に張られた支持線３１から誘引用の吊り紐３２を垂下させ、その先端を植物３３の枝に係止し、吊り紐３２によって植物３３の枝を所望の方向へ誘引することが行われている。
この場合、吊り紐３２は、基端側に長い余長部３３を有しており、この余長部３３が、図７に示すように、吊り紐ホルダ３４に巻き付けられる。吊り紐ホルダ３４は、屈曲した鋼線からなり、支持線３１に掛ける一対のフック部３５を有し、支持線３１に対する掛け止め位置を移動させることができる。吊り紐３２の垂下部分３６は、ホルダ３４から余長部３３を巻きほぐして伸ばしたり、巻き取って縮めたりすることができる。
使用済みの吊り紐３２は、ホルダ３４に巻き付けられた余長部３３を残して途上で切断され、収穫が終わった植物と共に処分される。吊り紐ホルダ３４に巻かれている吊り紐の残余部分（巻き付け部分）３３は、次の使用の際に順次巻きほぐされる。全て巻きほぐされて吊り紐３２が空になった吊り紐ホルダ３４には、新たに吊り紐３２が巻き付けられる。多数の紐ホルダ３４が使用されるので、吊り紐３２の巻き取り作業は機械化されている。
その一例が特許文献１に記載されている（同文献の図８ないし図１１参照）。装置は、巻き取り機構と、吊り紐ホルダを保持する取り付け部とを有する。巻き取り機構は、垂直軸上に設けられた巻き付けアームを有する。巻き付けアームは、自由端部にガイドアイ部を有し、モータにより回転する。垂直軸は中空で、紐ロールから引き出される吊り紐が中空部を通ってガイドアイ部へ導かれる。ホルダ取り付け部は、２つのクランプを有し、両クランプ間に吊り紐ホルダが、その両端部において挟持される。クランプは、固定顎と可動顎とを有し、可動顎が電磁駆動体で回転することにより両顎間で吊り紐ホルダを挟持したり解放したりする。垂直軸により巻き付けアームが回転し、吊り紐を送り出しながら、それを吊り紐ホルダに巻き付ける。
【先行技術文献】
【特許文献】
【０００３】
【特許文献１】欧州特許公開０５０７３７８Ａ１公報
【発明の概要】
【発明が解決しようとする課題】
【０００４】
本発明は、一時に多数の吊り紐ホルダに吊り紐を巻き付けることができる構造の簡易な植物誘引用吊り紐の巻き取り装置を提供することを目的としている。
【課題を解決するための手段】
【０００５】
以下、添付図面の符号を参照して説明するが、本発明はこれに限定されるものではない。
上記課題を解決するための、本発明の巻き取り装置１は、支持機体２上に構築され、複数のホルダ保持機構３と、モータ４と、複数のテンションローラ５と、ロール保持部材６とを具備する。ホルダ保持機構３は、水平方向に相互間隔を置いて、水平の回転軸７により、それぞれ垂直平面に沿って回転自在に支持機体２に支持される。モータ４は、支持機体２に支持され、各ホルダ保持機構３の回転軸７に、回転伝動部機構８を介して接続される。複数のテンションローラ５は、各ホルダ保持機構３の下方に位置して支持機体２に支持される。ロール保持部材６は、各テンションローラ５の下方に配置され、吊り紐３２のロール３７を、それの巻き心を垂直に向けて保持する。ホルダ保持機構３は、支持ベース９と、一対の挟持部材１０とを具備する。支持ベース９は、中央で回転軸７に支持され、回転軸７に直交する方向に延びる。挟持部材１０は、支持ベース９の両端部において、当該支持ベース９との間で吊り紐ホルダ３４の一対の折り返し曲部４０を着脱自在に保持する。挟持部材１０は、支持ベース９との間にホルダの折り返し曲部４０を挿入できる間隔を置いて、支持ベース９上に固定された押さえ板１１と、この押さえ板１１を貫通して、ボール１３が支持ベース９に当接するように固定されたボールプランジャ１２とを具備する。ボールプランジャ１２は、紐ホルダ３４の折り返し曲部４０が支持ベース９と押さえ板１１との間に圧入されるとき、ボール１３が折り返し曲部４０を外側から内側へ乗り越えて折り返し曲部４０の内側に落ち込み、折り返し曲部４０に嵌合するように配置される。テンションローラ５は、紐ロール３２から引き出され吊り紐３２の延長途上を掛け回し可能に設けられ、それによってテンションローラ５から紐ホルダ３４までの吊り紐３２に所定の張力を付与する。
【発明の効果】
【０００６】
本発明の植物誘引用吊り紐の巻き取り装置１は、一時に多数の吊り紐ホルダ３４に吊り紐３２を巻き付けることができる構造の簡易な植物誘引用吊り紐の巻き取り装置を提供する。
【図面の簡単な説明】
【０００７】
【図１】本発明に係る巻き取り装置の正面図である。
【図２】図１の巻き取り装置の側面図である。
【図３】図１の巻き取り装置の平面図である。
【図４】図１の巻き取り装置におけるホルダ保持機構の平面図である。
【図５】図１の巻き取り装置におけるホルダ保持機構の正面図である
【図６】本発明に係る植物誘引用の吊り紐と吊り紐ホルダの使用状態を示す説明図である。
【図７】本発明に係る吊り紐ホルダの使用状態を示す説明図である。
【発明を実施するための形態】
【０００８】
図面を参照して本発明の実施の形態を説明する。
図１に示すように、発明に係る吊り紐巻き取り装置１は、金属線材を屈曲して形成された吊り紐ホルダ３４に、紐ロール３７から吊り紐３２を引き出して巻き付ける装置である。
【０００９】
図７に示すように、吊り紐ホルダ３４は、互いの先端が向き合って内側に相対向するように屈曲した一対のフック部３５と、このフック部３５の基端側に一端側が連続し、それぞれ概略Ｖ字状に外側に開く凹部３８を形成するように屈曲した一対の起立部３９と、一端側が一対の起立部３９の他端側にそれぞれ連続し、互いに向き合う方向に屈曲することによって対向一対の折り返し曲部４０を形成し、他端側が互いに連続する接続部４１とを有する。吊り紐３２は、吊り紐ホルダ３４の一対の凹部３８間に巻きつけられる。
【００１０】
図１において、巻き取り装置１は、支持機体２上に構築され、複数のホルダ保持機構３と、モータ４と、複数のテンションローラ５と、ロール保持部材６とを具備する。
【００１１】
支持機体２は、垂直に立て置かれる両側一対の支持脚１４と、支持脚１４に水平に架設される上下２つの支持フレーム１５，１６を具備する。支持脚１４は、レベルアジャスタ１７を具え、設置面の変化に対応できる。
【００１２】
ホルダ保持機構３は、上部支持フレーム１５上に、水平方向に相互間隔を置いて、水平の回転軸７により、それぞれ垂直平面に沿って回転自在に支持される。
【００１３】
ホルダ保持機構３は、支持ベース９と、一対の挟持部材１０とを具備する。支持ベース９は、中央で回転軸７に支持され、回転軸７に直交する方向に延びる。挟持部材１０は、支持ベース９の両端部において、当該支持ベース９との間で吊り紐ホルダ３４の一対の折り返し曲部４０を着脱自在に保持する。挟持部材１０は、支持ベース９との間に吊紐ホルダ３４の折り返し曲部４０を挿入できる間隔を置いて、支持ベース９上に固定された押さえ板１１と、この押さえ板１１を貫通して、ボール１３が支持ベース９に当接するように固定されたボールプランジャ１２とを具備する。ボールプランジャ１２は、紐ホルダ３４の折り返し曲部４０が支持ベース９と押さえ板１１との間に圧入されるとき、ボール１３が折り返し曲部４０を外側から内側へ乗り越えて折り返し曲部４０の内側に落ち込み、折り返し曲部４０に嵌合するように配置される。
【００１４】
モータ４は、上フレーム１５に支持され、各ホルダ保持機構３の回転軸７に、回転伝動部機構８を介して接続される。
【００１５】
複数のテンションローラ５は、各ホルダ保持機構３の下方に位置して下フレーム１６に支持される。テンションローラ５は、紐ロール３２から引き出される吊り紐３２の延長途上を掛け回し可能に設けられ、それによって吊り紐ホルダ３４までの吊り紐３２に所定の張力を付与する。
【００１６】
ロール保持部材６は、各テンションローラ５の下方に配置され、吊り紐３２のロール３７を、それの巻き心を垂直に向けて保持する。ロール保持部材６は、板状部材で、中央に円形凹部を有し、突出した巻き心の端部を受け入れて保持できるようになっている。
【００１７】
上フレーム１５上に支持される制御盤１８は、ホルダ保持機構３の回転数を積算する積算部と、積算回転数を表示する表示部と、手動スイッチによるモータの始動・停止および積算回転数が所定値に達したときモータ４を停止するように制御する制御部を具備する。
【００１８】
吊り紐ホルダ３４に吊り紐３２を巻き付ける場合には、吊り紐ホルダ３４をホルダ保持機構３に装着する。このとき、吊り紐ホルダ３４のフック部３５を手前に向けて、折り返し曲部４０を支持ベース９と押さえ板１１との間に圧入すると、ボール１３が折り返し曲部４０を外側から内側へ乗り越えて折り返し曲部４０の内側に落ち込み、折り返し曲部４０に嵌合すると同時に、押さえ板１１が上から折り返し曲部４０を押さえ付ける。各ロール保持部材６上に紐ロール３７を置き、そこから吊り紐３２を引き出す。吊り紐３２は、テンションローラ５を経由して、ホルダ保持機構３に保持されている吊り紐ホルダ３４に先端を結びつける。
【００１９】
制御盤１８を操作して、吊り紐ホルダ３４に巻く吊り紐３２の巻き数を設定し、モータ４を始動させる。伝動機構８を介してホルダ保持機構３が吊り紐ホルダ３４と共に回転し、吊り紐ホルダ３４の凹部３８間に吊り紐３２を巻き付けていく。巻き数が設定値に達すると、モータ４が停止する。巻き取りが完了したら、吊り紐ホルダ３４をホルダ保持機構３から取り外し、吊り紐３２を巻き終端付近で切断し、終端を吊り紐ホルダ３４に結び付け、使用に備えて保管する。
【符号の説明】
【００２０】
１      巻き取り装置
２      支持機体
３      ホルダ保持機構
４      モータ
５      テンションローラ
６      ロール保持部材
７      回転軸
８      伝動機構
９      支持ベース
１０    挟持部材
１１    押さえ板
１２    ボールプランジャ
１３    ボール
１４    支持脚
１５    上フレーム
１６    下フレーム
１７    レベルアジャスタ
１８    制御盤
３１    支持線
３２    吊り紐
３３    余長部
３４    吊り紐ホルダ
３５    フック部
３６    垂下部分
３７    紐ロール
３８    凹部
３９    起立部
４０    折り返し曲部
４１    接続部
【図１】
2017163950.tif 000003
【図２】
2017163950.tif 000004
【図３】
2017163950.tif 000005
【図４】
2017163950.tif 000006
【図５】
2017163950.tif 000007
【図６】
2017163950.tif 000008
【図７】
2017163950.tif 000009